(57)【要約】【課題】設計変更する部品を最小限に抑えながら、時計本体の外径サイズやアンテナのサイズの変更を伴う機種変更に対応することができる電子時計を提供する。【解決手段】第１の径を有する第１時計と、第１の径とは異なる第２の径を有する第２時計とに使用され、前記第１時計は、地板１２５と、リング状の第１のアンテナ１１０を固定する機能、および、外装と接触し地板１２５を保持する機能を備え、第１の幅を有する第１の地板受けリング１２６と、を有し、前記第２時計は、地板１２５と、リング状の第２のアンテナを固定する機能、および、外装と接触し前記地板を保持する機能を備え、前記第１の幅とは異なる第２の幅を有する第２の地板受けリング１２６Ｂと、を有することを特徴とする。【選択図】図２３
2016109533.tif 000002
【特許請求の範囲】
【請求項１】
地板と、
リング状のアンテナを固定する機能、および、外装と接触し前記地板を保持する機能を備える地板受けリングと、を有し、
前記地板は、前記外装と接触しないように構成されていることを特徴とする電子時計。
【請求項２】
請求項１に記載の電子時計において、
ソーラーパネルをさらに有し、
前記地板は、前記ソーラーパネルを案内する機能を有することを特徴とする電子時計。
【請求項３】
請求項１または請求項２に記載の電子時計において、
文字板をさらに有し、
前記地板は、前記文字板を案内する文字板案内凸部を有することを特徴とする電子時計。
【請求項４】
請求項３に記載の電子時計において、
前記文字板には、前記地板の前記文字板案内凸部と平面視で重なる領域に、前記文字板案内凸部が収まる凹部が形成されていることを特徴とする電子時計。
【請求項５】
請求項３に記載の電子時計において、
前記地板の前記文字板案内凸部と平面視で重なる領域に、植字が配置されていることを特徴とする電子時計。
【発明の詳細な説明】
【技術分野】
【０００１】
本発明は、アンテナを備えた電子時計に関する。
【背景技術】
【０００２】
ＧＰＳ（Global Positioning System）衛星からの電波情報を受信し、正確な時刻を表示するＧＰＳ電子時計においては、電波を受信するためのアンテナが必要となる。小型化が要求される腕時計型のＧＰＳ電子時計（以下「電子時計」と記す）においては、腕時計の基本的なデザイン形状である丸型を実現しつつ、アンテナの小型化対応とともに、ムーブメントにおける確実な固定によりアンテナの破損防止を図ることが必要となる。
このような要求に対応するものとして、例えば、特許文献１に、アンテナをリング状に形成し、このリング状のアンテナを地板の基準面上に載置し、リング状アンテナを基準面方向に付勢する付勢部材をさらに備えた電子時計が紹介されている。
【先行技術文献】
【特許文献】
【０００３】
【特許文献１】特開２０１３−１８１９１８号公報
【発明の概要】
【発明が解決しようとする課題】
【０００４】
しかしながら、特許文献１に記載の電子時計では、電子時計の外径などのサイズ変更や、リング状のアンテナの径を変更する場合に、地板と付勢部材との両方の設計変更が必要になる。このため、電子時計の外径などのサイズ変更やアンテナの径の変更に際して設計変更する部品点数が多くなり、設計変更後の電子時計の完成までに多くの工数や時間を要する虞があるという課題があった。
【課題を解決するための手段】
【０００５】
本発明は、上述の課題の少なくとも一部を解決するためになされたものであり、設計変更する部品を最小限に抑えながら、時計本体の外径サイズやアンテナのサイズの変更を伴う設計変更に対応することができる電子時計を提供することを目的とする。
【０００６】
［適用例１］  本適用例にかかる電子時計は、地板と、リング状のアンテナを固定する機能、および、外装と接触し前記地板を保持する機能を備える地板受けリングと、を有し、前記地板は、前記外装と接触しないように構成されていることを特徴とする。
【０００７】
本適用例によれば、地板を保持する地板受けリングでアンテナを固定し、地板は外装と接触しない構造であるため、電子時計の外径などのサイズ変更や、アンテナの径を変更に際して、地板はそのまま用いて、地板受けリングのみ設計変更することにより対応することができる。
したがって、変更する部品点数を抑えながら、電子時計本体の外径サイズやアンテナのサイズの変更を伴う機種変更が可能なアンテナ内蔵型の電子時計を提供することができる。
【０００８】
［適用例２］  上記適用例にかかる電子時計において、ソーラーパネルをさらに有し、前記地板は、前記ソーラーパネルを案内する機能を有することが好ましい。
【０００９】
本適用例によれば、ソーラーパネルの地板に案内される形状を共通にすることにより、電子時計の外径やアンテナなどのサイズ変更に際して、地板は共通部品として用いて、地板受けリングのみ設計変更することにより対応することができる。なおここで、ソーラーパネルは電子時計の外観からは見えないので、電子時計の外径やアンテナなどが変更される前のソーラーパネルと変更後のソーラーパネルとを同じサイズとして共通部品としてもよいし、地板に案内される形状以外のその他の部分の形状やサイズを変更することもできる。
【００１０】
［適用例３］  上記適用例にかかる電子時計において、文字板をさらに有し、前記地板は、前記文字板を案内する文字板案内凸部を有することが好ましい。
【００１１】
本適用例によれば、電子時計の外径やアンテナなどのサイズ変更に際して、文字板の地板に案内される形状を共通にすることにより、電子時計の外径やアンテナなどのサイズ変更に際して、地板は共通部品として用いて、地板受けリングのみ設計変更することにより対応することができる。また、地板が変更されないので、文字板も共通部品として用いることもできる。
【００１２】
［適用例４］  上記適用例にかかる電子時計において、前記文字板には、前記地板の前記文字板案内凸部と平面視で重なる領域に、前記文字板案内凸部が収まる凹部が形成されていることを特徴とする。
【００１３】
本適用例によれば、電子時計の外径および見切り径を大きくする設計変更をした場合でも、共通の地板を使用することができる。
また、地板の文字板案内凸部と文字板の凹部との嵌合により、地板に対して文字板を案内することも可能である。
【００１４】
［適用例５］  上記適用例にかかる電子時計において、前記地板の前記文字板案内凸部と平面視で重なる領域に、植字を配置させることを特徴とする。
【００１５】
本適用例によれば、電子時計の外径および見切り径を大きくする設計変更をした場合に、文字板の表示面に位置する文字板案内凸部を植字により外観から目立たなくすることができる。これにより、設計変更を、共通の地板を用いて行うことができる。
【図面の簡単な説明】
【００１６】
【図１】本発明の実施形態に係る電子時計を含むＧＰＳの全体図。
【図２】電子時計の外観を示す斜視図。
【図３】電子時計の外観を示す６面図。
【図４】電子時計の概略を示す部分断面図。
【図５】電子時計の電気制御ブロック図。
【図６】地板の外観を示す斜視図。
【図７】地板受けリングの外観を示す斜視図。
【図８】地板受けリングのパネルフック部の周辺を示す拡大斜視図。
【図９】地板受けリングのアンテナフック部の周辺を示す拡大斜視図。
【図１０】地板に地板受けリングを嵌め合わせた状態を示す斜視図。
【図１１】案内板の外観を示す斜視図。
【図１２】ソーラーフィルムの外観を示す斜視図。
【図１３】ソーラーフィルムに案内板を貼り付けたソーラーパネルの外観を示す斜視図。
【図１４】地板受けリングのフック部によりソーラーパネルを固定した状態を示す斜視図。
【図１５】地板受けリングのフック部とソーラーパネルの係合部周辺を示す拡大斜視図。
【図１６】地板受けリングの案内部とソーラーパネルの案内用タブの周辺を示す拡大斜視図。
【図１７】文字板の外観を示す斜視図。
【図１８】地板に取り付けた地板受けリングにソーラーパネルを取り付けた上に、さらに文字板を取り付けた状態を示す斜視図。
【図１９】文字板の案内部の周辺を示す一部拡大斜視図。
【図２０】アンテナの外観を示す斜視図。
【図２１】ソーラーパネルを固定した地板受けリングによりアンテナを固定した状態を示す斜視図。
【図２２】地板受けリングのアンテナフック部とアンテナの係合部との周辺を示す拡大斜視図。
【図２３】電子時計において、外径サイズを変更する前の状態を示す平面図。
【図２４】電子時計において、外径サイズを小さく変更したときの状態を示す平面図。
【図２５】電子時計において、外径サイズを大きく変更したときの状態を示す平面図。
【図２６】電子時計の外径サイズの設計変更に伴って見切り径を大きくする場合の例を示す部分断面図。
【発明を実施するための形態】
【００１７】
以下、本発明の実施形態について、図面を参照して説明する。なお、以下の各図においては、各層や各部材を認識可能な程度の大きさにする便宜上、各層や各部材について実際とは異なる尺度で示している場合がある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１８】
＜Ａ：電子時計の概要＞
図１乃至図２６を参照しつつ本発明の一実施形態について説明する。図１は、本発明の一実施形態に係る電子時計を含むＧＰＳの全体図である。まず、電子時計が、外部信号としての電波を用いて、現在地の位置情報と、時刻情報とを求めるＧＰＳの概要を説明する。
【００１９】
電子時計１０は、ＧＰＳ衛星８からの電波（衛星信号）を受信して内部時刻を修正する腕時計であり、腕と接触する側の面（以下、裏面）の反対側の面（以下、表面という）に時刻を表示する。ＧＰＳ衛星８は、地球の上空において、所定の軌道上を周回する航法衛星であり、１．５７５４２ＧＨｚの電波（Ｌ１波）に航法メッセージを重畳させて地上に送信している。以降の説明では、航法メッセージが重畳された１．５７５４２ＧＨｚの電波を衛星信号という。衛星信号は、右旋偏波の円偏波である。
【００２０】
現在、約３１個のＧＰＳ衛星８（図１においては、４個のみを図示）が存在しており、衛星信号がどのＧＰＳ衛星８から送信されたかを識別するために、各ＧＰＳ衛星８はＣ／Ａコード（Coarse／Acquisition Code）と呼ばれる１０２３ｃｈｉｐ（１ｍｓ周期）の固有のパターンを衛星信号に重畳する。Ｃ／Ａコードは、各ｃｈｉｐが＋１、または−１のいずれかであり、ランダムパターンのように見える。したがって、衛星信号と各Ｃ／Ａコードのパターンの相関をとることにより、衛星信号に重畳されているＣ／Ａコードを検出することができる。
【００２１】
ＧＰＳ衛星８は原子時計を搭載しており、衛星信号は原子時計で計時されたＧＰＳ時刻情報が含まれている。電子時計１０は、１つのＧＰＳ衛星８から送信された衛星信号を受信し、その中に含まれるＧＰＳ時刻情報を使用して得られた時刻（時刻情報）を内部時刻とする。
【００２２】
衛星信号にはＧＰＳ衛星８の軌道上の位置を示す軌道情報も含まれている。電子時計１０は、ＧＰＳ時刻情報と軌道情報とを使用して測位計算を行うことができる。測位計算は、電子時計１０の内部時刻にある程度の誤差が含まれていることを前提として行われる。すなわち、電子時計１０の三次元の位置を特定するためのｘ，ｙ，ｚパラメーターに加えて時刻誤差も未知数になる。そのため、電子時計１０は、一般的には４つ以上のＧＰＳ衛星８からそれぞれ送信された衛星信号を受信し、その中に含まれるＧＰＳ時刻情報と軌道情報を使用して測位計算を行い、現在地の位置情報を求める。
【００２３】
次に、電子時計１０の概略構成について説明する。図２は、電子時計の外観を示す斜視図であり、図３は、電子時計の外観を示す６面図である。図４は、電子時計の概略を示す部分断面図である。
なお、図３（ａ）は電子時計を表面側から見た平面図である。図３（ｂ）は３時方向から９時方向を見た側面図である。図３（ｃ）は１２時方向から６時方向を見た側面図である。図３（ｄ）は９時方向から３時方向を見た側面図である、図３（ｅ）は６時方向から１２時方向を見た側面図である。図３（ｆ）は裏面側からみた平面図である。また、本実施形態の電子時計は、ワールドタイム機能とクロノグラフ機能を備えている。
【００２４】
図２及び図３に示すように、電子時計１０は、外装ケース３０と、カバーガラス３３と、裏蓋３４とを備えている。外装ケース３０は、金属で形成されていた円筒状のケース３１に、セラミックで形成されたベゼル３２が嵌合されて構成されている。このベゼル３２の内周側に、プラスチックで形成されたリング状のダイヤルリング４０を介して、円盤状の文字板１１が時刻表示部分として配置されている。
【００２５】
文字板１１には、指針２１，２２，２３が備えられている。また、文字板１１には、中心より、２時方向に円形の第１小窓７０と指針７１とが、１０時方向に円形の第２小窓８０と指針８１とが、６時方向に円形の第３小窓９０と指針９１とが、４時方向に矩形のカレンダー小窓１５とが、設けられている。文字板１１、指針２１，２２，２３、第１小窓７０、第２小窓８０、第３小窓９０及びカレンダー小窓１５などは、カバーガラス３３を透かして、視認可能となっている。
【００２６】
外装ケース３０の側面には、文字板１１の中心により、８時方向の位置にＡボタン６１と、１０時方向の位置にＢボタン６２と、２時方向の位置にＣボタン６３と、４時方向の位置にＤボタン６４と、３時方向の位置にリュウズ５０とが、設けられている。これらのＡボタン６１、Ｂボタン６２、Ｃボタン６３、Ｄボタン６４及びリュウズ５０が操作されることにより、操作に応じた操作信号が出力される。
【００２７】
図４に示すように、電子時計１０は、金属製の外装ケース３０の２つの開口のうち、表面側の開口は、ベゼル３２を介してカバーガラス３３で塞がれており、裏面側の開口は金属で形成された裏蓋３４で塞がれている。
外装ケース３０の内側には、ベゼル３２の内周に取り付けられているダイヤルリング４０と、光透過性の文字板１１と、文字板１１を貫通した指針軸２５と、指針軸２５を中心に周回する指針２１，２２，２３と、指針２１，２２，２３を駆動する駆動機構１４０などとが備えられている。
指針軸２５は、外装ケース３０の平面視中心を通り、表裏方向に延在する中心軸に沿って設けられている。
【００２８】
ダイヤルリング４０は、外周端が、ベゼル３２の内周面に接触しているとともに、一面がカバーガラス３３と平行な平板部分と、内周端が文字板１１に接触するように、文字板１１側へ傾斜した傾斜部分を備えている。ダイヤルリング４０は、平面視においてはリング形状となっており、断面視においてはすり鉢形状となっている。ダイヤルリング４０の平板部分と、傾斜部分と、ベゼル３２の内周面と、によりドーナツ形状の収納空間が形成されており、この収納空間内には、リング状のアンテナ１１０が収納されている。また、ダイヤルリング４０の内径、つまり文字板１１を視認可能な径を見切り径と称する。
【００２９】
このアンテナ１１０は、リング形状の誘電体を基材として、これに金属のアンテナパターンをメッキや銀ペースト印刷などにより形成したものである。このアンテナ１１０は、文字板１１の外周に配置されており、ベゼル３２の内周面側に配置され、さらにプラスチックで形成されたダイヤルリング４０、及びカバーガラス３３で覆われているため、良好な受信を確保することが可能となっている。誘電体としては、酸化チタンなどの高周波で使える誘電材料を樹脂に混ぜて成形することができ、これにより誘電体の波長短縮と相俟ってアンテナをより小型化できる。
【００３０】
文字板１１は、外装ケース３０の内側で時刻を表示する円形の板材であり、プラスチックなどの光透過性の材料で形成され、カバーガラス３３との間に指針２１，２２，２３などを備え、ダイヤルリング４０の内側に配置されている。
【００３１】
文字板１１と、地板１２５との間には、光発電を行うソーラーパネル（太陽電池）１３５が備えられている。ソーラーパネル１３５は、光エネルギーを電気エネルギー（電力）に変換する複数のソーラーセル（光発電素子）を直列接続した円形の平板である。また、ソーラーパネル１３５は、太陽光の検出機能も有している。
ソーラーパネル１３５は、地板１２５に形成された第１案内用凸部１２５ａによって位置決めが行われている。詳しくは後述する。
文字板１１、ソーラーパネル１３５及び地板１２５には、指針軸２５と、第１小窓７０の指針７１、第２小窓８０の指針８１及び第３小窓９０の指針９１の指針軸（図示せず）とが貫通する孔が形成されているとともに、カレンダー小窓１５の開口部が形成されている。
【００３２】
駆動機構１４０は、地板１２５に取り付けられ、回路基板１２０で裏面側から覆われている。駆動機構１４０は、ステップモーターと歯車などの輪列とを有し、当該ステップモーターが当該輪列を介して指針軸２５を回転させることにより、指針２１，２２，２３が駆動する。また、図２、図３に示す第１小窓７０の指針７１、第２小窓８０の指針８１及び第３小窓９０の指針９１も同様の駆動機構（図示せず）を有し、各指針７１，８１，９１が駆動する。
【００３３】
回路基板１２０は、受信部（ＧＰＳモジュール）１２２、制御部１５０及びリチウムイオン電池などの二次電池１３０を備えている。二次電池１３０は、ソーラーパネル１３５が発電した電力で充電される。また、この回路基板１２０とアンテナ１１０とは、図示しないアンテナ接続ピンを用いて接続されている。なお、回路基板１２０の下方には、回路押え１２３が設けられている。
【００３４】
アンテナ１１０は、給電点を通じて給電され、この給電点には、アンテナ１１０の裏面側に配置されたアンテナ接続ピンが接続されている。アンテナ接続ピンは金属で形成されたピン状のコネクターであり、回路基板１２０に突設されて、地板受けリング１２６に開口された挿通孔を貫通されて収納空間内へ挿通されている。このように、回路基板１２０と、収納空間内部のアンテナ１１０とが、アンテナ接続ピンで接続されている。
地板１２５は、プラスチックで形成されており、内部に駆動機構１４０及び二次電池１３０の取り付け部を有している。また、地板１２５には、文字板１１及びソーラーパネル１３５を位置決めするための第１案内用凸部１２５ａなどの案内凸部が設けられ、案内凸部は表面側に突出している。
【００３５】
地板受けリング１２６は、プラスチックで形成されており、地板１２５を支持する支持部材である。地板受けリング１２６は、地板１２５の外周から外装ケース３０を構成するケース３１の内周の間であって、地板とほぼ同じ高さに設けられる。また、地板受けリング１２６は、その内周に設けた突起形状が地板１２５の外周に当たり、さらに、地板受けリング１２６の外周に設けた突起形状が外装ケース３０を構成するケース３１の内径に当たることにより、外装ケース３０に対して地板１２５を支持している。つまり、地板１２５は直接外装ケース３０には接していない。また、地板受けリング１２６には、地板１２５により位置決めされた文字板１１及びソーラーパネル１３５を固定するための後述するパネルフック部１２６ａ（図示を省略）が設けられている。
なお、地板受けリング１２６は、少なくとも外装ケース３０に対して地板１２５を支持するようになっていればよく、上記の構造に限らない。
【００３６】
＜Ｂ：電子時計の電気的構成＞
次に、電子時計１０の電気的構成について説明する。
図５は、電子時計の電気制御ブロック図である。図５に示すように、電子時計１０は、ＣＰＵ（中央処理装置）１５３、ＲＡＭ（Random Access Memory）１５４、ＲＯＭ（Read Only Memory）１５５を基本構成とする制御部１５０と、受信部（ＧＰＳモジュール）１２２、入力装置１５７、駆動機構１４０の周辺装置とを備えている。これらの各装置は、データバス１５９を介してデータを送受信する。入力装置１５７は、図３に示すリュウズ５０、Ａボタン６１、Ｂボタン６２、Ｃボタン６３、Ｄボタン６４である。なお、電子時計１０は、電源となる充電可能な二次電池１３０（図４参照）を内蔵している。
【００３７】
受信部１２２は、アンテナ１１０を備え、アンテナ１１０を介して受信した衛星信号を処理してＧＰＳ時刻情報や位置情報を取得する。アンテナ１１０は、地球の上空を所定の軌道で周回している複数のＧＰＳ衛星８（図１参照）から送信され、図４に示すカバーガラス３３とダイヤルリング４０とを通過した衛星信号の電波を受信する。
【００３８】
そして、受信部１２２は、図示を略すが、通常のＧＰＳ装置と同様に、ＧＰＳ衛星８（図１参照）から送信される衛星信号を受信してデジタル信号に変換するＲＦ（Radio Frequency）部と、受信信号の相関判定を実行して航法メッセージを復調するＢＢ部（ベースバンプ部）と、ＢＢ部で復調された航法メッセージ（衛星信号）からＧＰＳ時刻情報や位置情報（測位情報）を取得して出力する情報取得部とを備えている。つまり、受信部１２２は、ＧＰＳ衛星８から送信される衛星信号を受信し、受信結果に基づいてＧＰＳ時刻情報と位置情報とを出力する受信部として機能する。
【００３９】
ＲＦ部は、バンドパスフィルター、ＰＬＬ回路、ＩＦフィルター、ＶＣＯ（Voltage Controlled Oscillator）、ＡＤＣ（Ａ／Ｄ変換器）、ミキサー、ＬＮＡ（Low Noise Amplifier）、ＩＦアンプ等を備えている。バンドパスフィルターで抜き出された衛星信号は、ＬＮＡで増幅された後、ミキサーでＶＣＯの信号とミキシングされ、ＩＦ（Intermediate Frequency：中間周波数）にダウンコンバートされる。ミキサーでミキシングされたＩＦは、ＩＦアンプ、ＩＦフィルターを通り、ＡＤＣでデジタル信号に変換される。
【００４０】
ＢＢ部は、ＧＰＳ衛星８で送信時に使用されたものと同一のＣ／Ａコードからなるローカルコードを生成するローカルコード生成部と、ローカルコードとＲＦ部から出力される受信信号との相関値を算出する相関部とを備える。そして、相関部で算出された相関値が所定の閾値以上であれば、受信した衛星信号に用いられたＣ／Ａコードと、生成したローカルコードとが一致していることになり、衛星信号を捕捉（同期）することができる。このため、受信した衛星信号を、ローカルコードを用いて相関処理することで、航法メッセージを復調することができる。
【００４１】
情報取得部は、ＢＢ部で復調した航法メッセージからＧＰＳ時刻情報や位置情報を取得する。航法メッセージには、プリアンブルデータ及びＨＯＷワードのＴＯＷ（Time of Week、「Ｚカウント」ともいう）、各サブフレームデータが含まれている。サブフレームデータは、サブフレーム１からサブフレーム５まであり、各サブフレームには、例えば、週番号データや衛星健康状態データを含む衛星補正データ等や、エフェメリス（ＧＰＳ衛星８毎の詳細な軌道情報）や、アルマナック（全ＧＰＳ衛星８の概略軌道情報）などのデータが含まれている。したがって、情報取得部は、受信した航法メッセージから所定のデータ部分を抽出することにより、ＧＰＳ時刻情報や航法情報を取得することができる。
【００４２】
ＲＡＭ１５４とＲＯＭ１５５とは、電子時計１０の記憶部である。
ＲＯＭ１５５には、ＣＰＵ１５３に実行されるプログラムやタイムゾーン情報等が記憶される。タイムゾーン情報とは、共通の標準時を使用する地域（タイムゾーン）の位置情報（緯度・経度）と、ＵＴＣに対する時差と、を管理するデータである。
ＣＰＵ１５３は、ＲＡＭ１５４を作業領域として使用し、ＲＯＭ１５５に記憶されたプログラムを実行することにより、各種の演算、制御及び計時を行う。この計時は、例えば、図示しない発振回路からの基準信号のパルス数を計数することによって行われる。
【００４３】
ＣＰＵ１５３は、ＧＰＳ時刻情報と時刻補正パラメーターとから算出した時刻情報と、ＧＰＳ時刻情報と軌道情報とから算出した現在地の位置情報（緯度、経度）と、ＲＯＭ１５５（記憶部）に記憶されたタイムゾーン情報とに基づいて内部時計を修正する。ＣＰＵ１５３は、内部時刻が表示されるように、駆動機構１４０を駆動する制御を行う。これにより、電子時計１０には、指針２１，２２，２３（図３参照）により内部時刻が表示される。
【００４４】
＜Ｃ：ソーラーパネルの固定＞
次に、電子時計１０においてソーラーパネル１３５を固定する構成について説明する。図６は地板１２５の外観を示す斜視図、図７は地板受けリング１２６の外観を示す斜視図である。図８は地板受けリング１２６のパネルフック部の周辺を示す拡大斜視図であり、図９は地板受けリング１２６のアンテナフック部の周辺を示す拡大斜視図である。
【００４５】
図６に示すように、地板１２５には、ソーラーパネル１３５及び文字板１１を位置決め・案内するための第１案内用凸部１２５ａ及び第２案内用凸部１２５ｂの組が、第１位置Ｒ１、第２位置Ｒ２、第３位置Ｒ３、及び第４位置Ｒ４の４箇所に形成されている。第２案内用凸部１２５ｂは、第１位置Ｒ１、第２位置Ｒ２、及び第４位置Ｒ４においては、それぞれ２つずつ設けられ、第１案内用凸部１２５ａを中心として地板１２５の周方向の両側に、第１案内用凸部１２５ａと所定の間隔を有して配置されている。第３位置Ｒ３においては、１つの第２案内用凸部１２５ｂのみが、第１案内用凸部１２５ａを中心として地板１２５の周方向の一方の側に第１案内用凸部１２５ａと所定の間隔を有して配置されている。そして、第３位置Ｒ３では、ダイヤルリング４０の固定用ピン１２５ｃが設けられたフランジ部１２５ｄが、地板１２５の周方向に延びて形成されている。フランジ部１２５ｄの端部は、第１案内用凸部１２５ａを中心として地板１２５の周方向の第２案内用凸部１２５ｂが配置されていない他方の側において第１案内用凸部１２５ａと所定の間隔を有する位置に設けられている。したがって、前記フランジ部１２５ｄの端部は、第２案内用凸部１２５ｂと同様の機能を有している。第１位置Ｒ１と第３位置Ｒ３とに設けられた固定用ピン１２５ｃは、ダイヤルリング４０の孔部と嵌め合わされ、ダイヤルリング４０を固定する。
また、回路基板１２０とソーラーパネル１３５とを導通させるための導通バネのための貫通孔１２５ｅが設けられている。
【００４６】
図７に示すように、地板１２５の支持部材として機能する地板受けリング１２６は、ソーラーパネル１３５を固定するためのパネルフック部１２６ａと、アンテナ１１０を固定するためのアンテナフック部１２６ｂと、アンテナ１１０を固定するためのアンテナ用凸部１２６ｃとを備えている。
地板受けリング１２６を電子時計１０に配置したとき、カバーガラス３３側（ソーラーパネル１３５に近い側）に配置される面を上面、裏蓋３４側（ソーラーパネル１３５から遠い側）に配置される面を底面という。図８に示すように、パネルフック部１２６ａは、地板受けリング１２６の上面に直接設けるのではなく、底面側に下がる段差を設け、その段差から設けられており、上面に対して底面側から連続して形成されている。これにより、上面に直接形成するのに対して、パネルフック部１２６ａを長くすることができるため、ソーラーパネル１３５を取り付ける際に必要な弾性力を増加させることができる。また、パネルフック部１２６ａの先端部１２６ａ−１には、傾斜面１２６ａ−２が形成されており、ソーラーパネル１３５が容易に取り付けられるように構成されている。詳しくは後述する。
図９に示すように、アンテナフック部１２６ｂは、地板受けリング１２６の上面に設けられており、アンテナフック部１２６ｂの先端部１２６ｂ−１とアンテナ１１０の外周に設けられたフランジ部とが係合してアンテナ１１０を固定し、上下方向における位置決めを行う。詳しくは後述する。
【００４７】
図１０は、地板１２５に地板受けリング１２６を嵌め合わせた状態を示す展開斜視図である。図１０に示すように、地板１２５に地板受けリング１２６を嵌め合わせることにより、地板受けリング１２６のパネルフック部１２６ａは、第２位置Ｒ２及び第４位置Ｒ４において、地板１２５の周方向に第１案内用凸部１２５ａ及び第２案内用凸部１２５ｂと並ぶように配置される。第２位置Ｒ２及び第４位置Ｒ４においては、第１案内用凸部１２５ａがソーラーパネル１３５の仮案内部として機能し、地板受けリング１２６のパネルフック部１２６ａがソーラーパネル１３５の固定部として機能する。また、第１位置Ｒ１及び第３位置Ｒ３においては、第１案内用凸部１２５ａがソーラーパネル１３５の案内部として機能する。
【００４８】
次に、図１１乃至図１３を参照しつつ、本実施形態におけるソーラーパネル１３５の構成を説明する。図１１は案内板１３５ａの外観を示す斜視図、図１２はソーラーフィルム１３５ｂの外観を示す斜視図、図１３はソーラーパネル１３５の外観を示す斜視図である。
案内板１３５ａは、金属やプラスチック等の材料で形成されており、図１１に示すように、第１案内用タブ１３５ａ−１と第２案内用タブ１３５ａ−２の組が、４箇所に形成されている。また、案内板１３５ａには、地板受けリング１２６のパネルフック部１２６ａとの係合部として機能する固定用タブ１３５ａ−３が２箇所に形成されている。
ソーラーフィルム１３５ｂは、図１２に示すように、８個のソーラーセル１３５ｃを備えた円板状のフィルムであり、案内板１３５ａの第１案内用タブ１３５ａ−１と第２案内用タブ１３５ａ−２に対応して、第１タブ１３５ｂ−１と第２タブ１３５ｂ−２の組が４箇所に形成されている。また、ソーラーフィルム１３５ｂには、導通部１３５ｄが１箇所（図１２において左側）に形成されている。
【００４９】
ソーラーパネル１３５は、図１３に示すように、上述したソーラーフィルム１３５ｂに案内板１３５ａを貼り合わせた構成となっている。図１３においては、案内板１３５ａを点線で示している。ソーラーフィルム１３５ｂの第１タブ１３５ｂ−１及び第２タブ１３５ｂ−２は、案内板１３５ａの第１案内用タブ１３５ａ−１及び第２案内用タブ１３５ａ−２に対応した位置に設けられているので、ソーラーフィルム１３５ｂに案内板１３５ａを貼り合わせると、互いに重なり合う。ソーラーフィルム１３５ｂの第１タブ１３５ｂ−１及び第２タブ１３５ｂ−２は、案内板１３５ａとソーラーフィルム１３５ｂとを貼り合わせる際の位置の目安となる。但し、ソーラーパネル１３５の案内に実質的に寄与する箇所は、第１タブ１３５ｂ−１及び第２タブ１３５ｂ−２ではなく、第１案内用タブ１３５ａ−１及び第２案内用タブ１３５ａ−２である。そのため、以下のソーラーパネル１３５を案内する場合の説明においては、第１タブ１３５ｂ−１及び第２タブ１３５ｂ−２の記載を省略し、「ソーラーパネル１３５の第１案内用タブ１３５ａ−１及び第２案内用タブ１３５ａ−２」、あるいは、単に「第１案内用タブ１３５ａ−１及び第２案内用タブ１３５ａ−２」とする。
なお、ソーラーフィルム１３５ｂを案内板１３５ａに正確に位置決めして貼り付けることができれば、ソーラーフィルム１３５ｂの第１タブ１３５ｂ−１及び第２タブ１３５ｂ−２は設けなくてもよい。
【００５０】
ソーラーパネル１３５を上面側から見ると、固定用タブ１３５ａ−３は、ソーラーフィルム１３５ｂに覆われずに露出する構成となっている。図１３の右側に示される時計の３時位置周辺では、固定用タブ１３５ａ−３に隣り合って、第１案内用タブ１３５ａ−１及び第２案内用タブ１３５ａ−２が配置される。図１３の左側に示される時計の９時位置周辺では、固定用タブ１３５ａ−３と、第１案内用タブ１３５ａ−１及び第２案内用タブ１３５ａ−２との間に、導通部１３５ｄが配置される。そして、図１３の上側に示される時計の１２時位置周辺と、図１３の上側に示される時計の１２時位置周辺には、第１案内用タブ１３５ａ−１及び第２案内用タブ１３５ａ−２が配置される。
【００５１】
次に、ソーラーパネル１３５の位置決めについて、図１４乃至図１６を参照しつつ説明する。図１４は、図１０に示す地板１２５に取り付けた地板受けリング１２６にソーラーパネル１３５を取り付けた状態を示す斜視図、図１５はソーラーパネル１３５の仮案内部及び固定部の周辺を示す一部拡大斜視図、図１６はソーラーパネル１３５の案内部の周辺を示す一部拡大斜視図である。
地板受けリング１２６にソーラーパネル１３５を取り付ける際には、まず、第２位置Ｒ２において、ソーラーパネル１３５の第１案内用タブ１３５ａ−１と第２案内用タブ１３５ａ−２とにより、仮案内部として機能する地板１２５の第１案内用凸部１２５ａを挟むように、地板１２５にソーラーパネル１３５を取り付ける。また、パネルフック部１２６ａとの係合部として機能するソーラーパネル１３５の固定用タブ１３５ａ−３の端縁を、地板受けリング１２６におけるパネルフック部１２６ａの先端部１２６ａ−１の下方に入れ込む。
第１案内用タブ１３５ａ−１及び第２案内用タブ１３５ａ−２と第１案内用凸部１２５ａとの間には、所定の隙間ができるように設計されている。したがって、ソーラーパネル１３５は、仮案内部としての第１案内用凸部１２５ａにより、ある程度の自由度を持って第２位置Ｒ２における取り付け位置が仮決めされる。また、第１案内用タブ１３５ａ−１と第２案内用タブ１３５ａ−２は、いずれも地板１２５の第２案内用凸部１２５ｂにより周方向への回転が規制される。さらに、パネルフック部１２６ａにより、ソーラーパネル１３５の上方向への移動が規制される。
【００５２】
次に、図１４及び図１６に示すように、第１位置Ｒ１において、ソーラーパネル１３５の第１案内用タブ１３５ａ−１と第２案内用タブ１３５ａ−２とにより、案内部として機能する地板１２５の第１案内用凸部１２５ａを挟むように、地板１２５にソーラーパネル１３５を取り付ける。第１案内用タブ１３５ａ−１及び第２案内用タブ１３５ａ−２と第１案内用凸部１２５ａとの間にも若干の隙間ができるが、この隙間は、第２位置Ｒ２における第１案内用タブ１３５ａ−１及び第２案内用タブ１３５ａ−２と仮案内部としての第１案内用凸部１２５ａとの間の前記隙間よりは小さくなるように設計されている。したがって、ソーラーパネル１３５は、案内部としての第１案内用凸部１２５ａにより、第１位置Ｒ１における取り付け位置が確実に定められることになる。但し、上述したように、第２位置Ｒ２においては、第１案内用タブ１３５ａ−１及び第２案内用タブ１３５ａ−２はある程度の自由度を持って仮りに位置決めされているため、第１位置Ｒ１におけるソーラーパネル１３５の取り付けは容易になっている。また、第１案内用タブ１３５ａ−１と第２案内用タブ１３５ａ−２は、いずれも地板１２５の第２案内用凸部１２５ｂにより周方向への回転が規制される。
第３位置Ｒ３においても同様に、ソーラーパネル１３５の第１案内用タブ１３５ａ−１と第２案内用タブ１３５ａ−２とにより、案内部として機能する地板１２５の第１案内用凸部１２５ａを挟むように、地板１２５にソーラーパネル１３５を取り付ける。第１案内用タブ１３５ａ−１及び第２案内用タブ１３５ａ−２と第１案内用凸部１２５ａとの間にも若干の隙間ができるが、この隙間は、第２位置Ｒ２における第１案内用タブ１３５ａ−１及び第２案内用タブ１３５ａ−２と仮案内部としての第１案内用凸部１２５ａとの間の前記隙間よりは小さくなるように設計されている。したがって、ソーラーパネル１３５は、案内部としての第１案内用凸部１２５ａにより、第３位置Ｒ３における取り付け位置が確実に定められることになる。但し、上述したように、第２位置Ｒ２においては、第１案内用タブ１３５ａ−１及び第２案内用タブ１３５ａ−２はある程度の自由度を持って仮りに位置決めされているため、第３位置Ｒ３におけるソーラーパネル１３５の取り付けは容易になっている。また、第１案内用タブ１３５ａ−１と第２案内用タブ１３５ａ−２は、いずれも地板１２５の第２案内用凸部１２５ｂにより周方向への回転が規制される。
【００５３】
最後に、第４位置Ｒ４において、ソーラーパネル１３５の第１案内用タブ１３５ａ−１と第２案内用タブ１３５ａ−２とにより、仮案内部として機能する地板１２５の第１案内用凸部１２５ａを挟むように、地板１２５にソーラーパネル１３５を取り付ける。また、ソーラーパネル１３５の固定用タブ１３５ａ−３の端縁は、地板受けリング１２６におけるパネルフック部１２６ａの先端部１２６ａ−１と接触することになる。図１５に示すようにパネルフック部１２６ａの先端部１２６ａ−１には傾斜面１２６ａ−２が形成されており、かつ、パネルフック部１２６ａ自体が弾性を有しているため、固定用タブ１３５ａ−３を容易に下方向に押下することができる。傾斜面１２６ａ−２は、ソーラーパネル１３５の表面とのなす角度が鈍角となるように設定されている。したがって、固定用タブ１３５ａ−３の端縁がパネルフック部１２６ａの先端部１２６ａ−１の傾斜面１２６ａ−２と摺動しながら下方へと移動し、傾斜面１２６ａ−２と摺動が終わると、図１５に示すように固定用タブ１３５ａ−３がパネルフック部１２６ａの先端部１２６ａ−１の下方に入り込むことになる。
第１案内用タブ１３５ａ−１及び第２案内用タブ１３５ａ−２と第１案内用凸部１２５ａとの間には、第２位置Ｒ２と同様に、第１位置Ｒ１及び第３位置Ｒ３よりも大きな隙間ができるように設計されている。したがって、ソーラーパネル１３５は、仮案内部としての第１案内用凸部１２５ａにより、ある程度の自由度を持って第４位置Ｒ４における取り付け位置が仮決めされる。第４位置Ｒ４におけるソーラーパネル１３５の位置決めは、このようにある程度の自由度を持って行われるため、最後に固定用タブ１３５ａ−３をパネルフック部１２６ａの先端部１２６ａ−１の下方に入り込ませる作業が容易となる。
また、ソーラーパネル１３５がパネルフック部１２６ａにより固定され、上下方向における位置決めが行われことになる。このようにして、ソーラーパネル１３５全体の固定と位置決めが完了する。
上記の例では、地板受けリング１２６にソーラーパネル１３５を取り付ける際に、最初に第２位置、次に第１および第３位置、最後に第４位置の順で取り付ける例を示したが、この順番でなくてもよい。例えば、最初に地板受けリング１２６にソーラーパネル１３５を、周方向の位置関係がほぼ正確になるように載置した後、上方から全体を押し込むことにより取り付けしてもよい。
【００５４】
＜Ｄ：文字板の位置決め＞
次に、図１７を参照しつつ、本実施形態における文字板１１の構成を説明する。図１７は文字板１１の外観を示す斜視図である。
円盤状の文字板１１は、金属やプラスチック等の材料で形成されており、図１７に示すように、中央部に設けられた指針２１，２２，２３（図３を参照）の軸孔と文字板１１の中心より２時方向に配置された円形の第１小窓７０、１０時方向に配置された第２小窓８０、６時方向に配置された第３小窓９０、及び、４時方向に配置された矩形のカレンダー小窓１５とが設けられている。また、図示は省略するが、文字板１１の周縁部側、及び、第１小窓７０〜第３小窓９０には、時刻表示用の目盛、数字、文字などの植字が施されている。
【００５５】
文字板１１において、時計の３時位置近く、６時位置近く、９時位置近く、及び１時位置近くには、第１案内タブ１１ａ−１及び第２案内タブ１１ａ−２が配置されている。文字板１１の第１案内タブ１１ａ−１及び第２案内タブ１１ａ−２の位置は、ソーラーパネル１３５の第１案内用タブ１３５ａ−１及び第２案内用タブ１３５ａ−２の位置と対応している。即ち、文字板１１の第１案内タブ１１ａ−１及び第２案内タブ１１ａ−２は、地板の第１案内用凸部１２５ａを挟んで位置決めできるようになっている。
【００５６】
次に、文字板１１の位置決めについて、図１８及び図１９を参照しつつ説明する。図１８は、図１４に示す地板１２５に取り付けた地板受けリング１２６にソーラーパネル１３５を取り付けた上に、さらに文字板１１を取り付けた状態を示す斜視図、図１９は文字板１１の案内部の周辺を示す一部拡大斜視図である。
図１８において、地板１２５に取り付けた地板受けリング１２６にソーラーパネル１３５を取り付けた上から、文字板１１を取り付ける際には、第１位置Ｒ１〜第４位置Ｒ４において、地板１２５の第１案内用凸部１２５ａを、第１案内タブ１１ａ−１及び第２案内タブ１１ａ−２で挟むように入れ込むことにより位置決め・固定される。
【００５７】
＜Ｅ：アンテナの取付け＞
次に、アンテナの取り付けについて説明する。なお、以下の説明において用いる図面では、文字板１１を取り付ける前の状態、即ち、図１４に示すように、ソーラーパネル１３５の地板１２５及び地板受けリング１２６への取り付けが完了した状態からの、アンテナ１１０の取り付けについて説明する。図２０は、アンテナ１１０の斜視図である。図２０に示すように、本実施形態のアンテナ１１０はリング状に形成され、アンテナ１１０の内周には、第１位置Ｐ１、第２位置Ｐ２、第３位置Ｐ３、及び第４位置Ｐ４の４箇所の位置に、切欠き部１１１が備えられている。これらの第１位置Ｐ１、第２位置Ｐ２、第３位置Ｐ３、及び第４位置Ｐ４は、図１４に示す地板１２５及び地板受けリング１２６の第１位置Ｒ１、第２位置Ｒ２、第３位置Ｒ３、及び第４位置Ｒ４に対応している。したがって、アンテナ１１０を図２１に示すように地板１２５及び地板受けリング１２６に取り付けると、地板１２５の第１案内用凸部１２５ａ、第２案内用凸部１２５ｂ、フランジ部１２５ｄ、及び地板受けリング１２６のパネルフック部１２６ａ、並びに、ソーラーパネル１３５の第１案内用タブ１３５ａ−１、第２案内用タブ１３５ａ−２、及び固定用タブ１３５ａ−３が、切欠き部１１１に収容される。
【００５８】
図２０に示すように、アンテナ１１０の外周には、切欠き部１１０ａが３箇所に形成されており、切欠き部１１０ａにはフランジ部１１０ｂが設けられている。アンテナ１１０を地板受けリング１２６に取り付けることにより、図２１及び図２２に示すように、フランジ部１１０ｂと、地板受けリング１２６のアンテナフック部１２６ｂの先端部１２６ｂ−１とが係合することにより、アンテナ１１０が固定され、上下方向への位置決めが行われることになる。このように、地板受けリング１２６のアンテナフック部１２６ｂは、アンテナ１１０の固定部として機能する。
アンテナ１１０の底部には、図２０に示すように固定用凹部１１１ｃが複数個所に設けられている。アンテナ１１０を地板受けリング１２６に取り付けることにより、図２１に示すように、地板受けリング１２６のアンテナ用凸部１２６ｃと、アンテナ１１０の固定用凹部１１０ｃとが係合し、アンテナ１１０の周方向における位置決めが行われる。
このように、地板受けリング１２６によってアンテナ１１０の位置決めが行われると共に、地板受けリング１２６によってソーラーパネル１３５の位置決めが行われるので、ソーラーパネル１３５のアンテナ１１０に対する位置決めが確実に行われ、ばらつきを生じることがない。
また、電子時計１０においてアンテナの径や形状などの仕様変更があった場合に、地板受けリングのアンテナフック部の設計変更を行うことにより対応できるので、地板１２５はそのまま使用して電子時計１０の仕様変更に対応することができる。
また、文字板１１やソーラーパネル１３５が地板に直接案内される構造であるため、文字板やソーラーパネルもそのまま使用することができる。
【００５９】
（電子時計の外径変更時の設計対応）
次に、電子時計１０の外径サイズを変更した際の設計変更対応について述べる。
図２３は、上記した構成の電子時計１０において、アンテナ１１０を地板受けリング１２６に取り付けた状態を示す平面図である。即ち、図２３は、電子時計１０において、外径サイズを変更する前の状態を示したものである。
【００６０】
＜電子時計の外径サイズを小さくしたときの設計対応＞
図２４は、電子時計の外径サイズが小さくなるように変更したときの、アンテナ１１０を地板受けリングに取り付けた状態を示す平面図である。図２４に示すように、地板１２５は、図２３に示す外径サイズ変更前のものと同一である。即ち、電子時計１０の外径サイズが小さくなるように変更することに対して、地板１２５と外装ケース３０（図４を参照）との間に配置され、外装ケース３０に対して地板１２５を支持する地板受けリング１２６Ｂのサイズ（径）が変更されている。具体的には、図２３に示すサイズ変更前の地板受けリング（第１の地板受けリング）１２６に対して、図２４に示す地板受けリング（第２の地板受けリング）１２６Ｂは、地板１２５を保持する内径は変更せずに、外装ケース３０に接触する外周側の径が小さくなるように変更されている。
また、文字板１１やソーラーパネル１３５はそのまま使用される。
【００６１】
以上述べたように、本実施形態に係る地板１２５及び地板受けリング１２６，１２６Ｂを用いた構成によれば、地板１２５にソーラーパネル１３５及び文字板１１を案内する第１案内用凸部１２５ａ及び第２案内用凸部１２５ｂを配置し、外装ケース３０に対して地板１２５を支持する地板受けリング１２６に、アンテナ１１０を保持するアンテナフック部１２６ｂを配置した。そして、電子時計１０の外径サイズが小さくなるように変更したときに、外周側の径を小さく変更した地板受けリング１２６Ｂを適用することにより、設計対応する構成とした。これにより、変更する部品点数を最小限に抑えて、電子時計１０の外径サイズの小型化に低コストで対応することができる。
【００６２】
＜電子時計の外径サイズを大きくしたときの設計対応＞
図２５は、電子時計の外径サイズが大きくなるように変更したときの、アンテナ１１０を地板受けリングに取り付けた状態を示す平面図である。図２５に示すように、ソーラーパネル１３５及び図示を省略した文字板１１を、第１案内用凸部１２５ａ及び第２案内用凸部１２５ｂにより案内して位置決めする地板１２５は、図２３に示す外径サイズ変更前、及び、図２４に示す外径サイズを小さくなるように変更した場合のものと同一である。そして、電子時計１０の外径サイズを大きくなるように変更することに対して、外装ケース３０に対して地板１２５を支持する地板受けリング１２６Ｃのサイズ（径）のみを変更している。具体的には、図２３に示すサイズ変更前の地板受けリング（第１の地板受けリング）１２６に対して、図２５に示す地板受けリング（第２の地板受けリング）１２６Ｃは、地板１２５を保持する内径は変更せずに、外周側の径が大きくなるように変更されている。また、文字板１１やソーラーパネル１３５はそのまま使用される。
これにより、上記した電子時計１０の外径を小さくなるように変更したときと同様に、電子時計１０の外径を大きくなるように変更する場合でも、地板１２５は変更せずに、外周側の径を大きく変更した地板受けリング１２６Ｃを適用することにより、変更する部品点数を最小限に抑えて、電子時計１０の外径サイズの設計変更に対応することができる。
【００６３】
なお、上記実施形態では、電子時計１０の外径サイズの変更に対する設計対応について説明したが、これに限らない。地板受けリング１２６は、アンテナ１１０を支持するアンテナフック部１２６ｂを備えているので、アンテナの設計変更に際しても、地板１２５はそのまま用いて、地板受けリング１２６の設計変更により対応することができる。例えば、アンテナの外径が小さくなり、フランジ部１１０ｂの位置が電子時計の中心側に変更されたときには、変更されたフランジ部１１０ｂの位置に対応するように、地板受けリング１２６のアンテナフック部１２６ｂの位置を設計変更すればよい。
【００６４】
図２６は、外径サイズの設計変更に伴って見切り径を大きくする場合の例を説明するものであり、ソーラーパネル１３５及び文字板１１を案内している地板１２５の第１案内用凸部１２５ａの近傍を拡大して模式的に示す部分断面図である。
図２６（ａ）は、図２３に示す設計変更前の電子時計１０における上記部分断面の状態を示している。ここでは、ソーラーパネル１３５及び文字板１１を案内している地板１２５の第１案内用凸部１２５ａ（及び、図示しない第２案内用凸部１２５ｂ）の上方に、ダイヤルリング４０が平面視で重なる位置に配置されている。これにより、第１案内用凸部１２５ａを外から視認されないようにしている。
ここで、外径サイズを大きくする場合に、見切り径、すなわちダイヤルリング４０の内径も大きくなるように変更しないと、電子時計が小さく見えてしまい、美観を損ねる問題がある。しかし、ダイヤルリング４０の内径を大きくすると、ソーラーパネル１３５及び文字板１１を案内している地板１２５の第１案内用凸部１２５ａが視認されてしまうという問題がある。
この場合に、以下のような対応を行うことができる。
【００６５】
図２６（ｂ）は、文字板１１を案内している第１案内用凸部１２５ａが、平面視でダイヤルリング４０Ｃから露出された位置に配置されているが、文字板１１の時刻表示用の植字１１ａを、文字板１１の第１案内用凸部１２５ａと平面視で重なる位置に配置させている状態を示している。これにより、文字板１１の植字１１ａによって第１案内用凸部１２５ａが外から視認されにくくすることができる。
【００６６】
また、図２６（ｃ）は、通常の文字板１１よりも外径の大きい文字板（第２の文字板）１１Ｃを適用することによる設計対応の一例を示している。図２６（ｃ）の文字板１１Ｃは、地板１２５の第１案内用凸部１２５ａと平面視で重なる領域に、第１案内用凸部１２５ａが収まる凹部１１Ｃａが形成されている。なお、図示を省略するが、文字板１１Ｃには、地板１２５の第２案内用凸部１２５ｂが収まる凹部も形成されている。
この構成によれば、電子時計１０のダイヤルリング４０の内径を大きくなるように変更した場合でも、共通の地板１２５を用いて低コストにて設計変更に対応することができる。なお、本構成では、地板１２５の第１案内用凸部１２５ａと文字板１１Ｃの凹部１１Ｃａとの嵌合により、地板１２５に対して文字板１１Ｃを案内（位置決め）することもできる。
【００６７】
以上、発明者によってなされた本発明の実施の形態について具体的に説明したが、本発明は上記した実施の形態に限定されるものではなく、その要旨を逸脱しない範囲で種々の変更を加えることが可能である。
【００６８】
例えば、上述した実施形態においては、電子時計１０の外径サイズを変更した場合でも、文字板１１やソーラーパネル１３５をそのまま用いる例、または、電子時計１０の外径サイズを大きくした場合に、文字板１１よりも外径の大きい文字板１１Ｃを用いる例について説明したが、これに限らない。文字板１１やソーラーパネル１３５の地板に案内される形状以外の部分の形状やサイズを変更したものを用いてもよい。これにより、地板を共通にしたまま、様々なデザインの電子時計に対応することができる。
【００６９】
また、上述した実施形態においては、地板１２５に文字板１１やソーラーパネル１３５の案内部を設ける構成としたが、地板受けリングに設けるようにしてもよい。これにより、電子時計１０の外径サイズの変更により文字板１１等を変更したい場合にも、地板を共通化したまま、容易に対応することができる。
【符号の説明】
【００７０】
８…ＧＰＳ衛星、１０…電子時計、１１…文字板、１１Ｃ…文字板、１１Ｃａ…凹部、１１ａ…植字、１１ａ−１…第１案内タブ、１１ａ−２…第２案内タブ、１５…カレンダー小窓、２１，２２，２３…指針、２５…指針軸、３０…外装ケース、３１…ケース、３２…ベゼル、３３…カバーガラス、３４…裏蓋、４０…ダイヤルリング、４０Ｃ…ダイヤルリング、５０…リュウズ、６１…Ａボタン、６２…Ｂボタン、６３…Ｃボタン、６４…Ｄボタン、７０…第１小窓、７１，８１，９１…指針、８０…第２小窓、９０…第３小窓、１１０…アンテナ、１１０ａ…切欠き部、１１０ｂ…フランジ部、１１０ｃ…固定用凹部、１１１…切欠き部、１２０…回路基板、１２２…受信部、１２５…地板、１２５ａ…第１案内用凸部、１２５ｂ…第２案内用凸部、１２５ｃ…固定用ピン、１２５ｄ…フランジ部、１２５ｅ…貫通孔、１２６…地板受けリング、１２６Ｂ…地板受けリング、１２６Ｃ…地板受けリング、１２６ａ…パネルフック部、１２６ｂ…アンテナフック部、１２６ｃ…アンテナ用凸部、１３０…二次電池、１３５…ソーラーパネル、１３５ａ…案内板、１３５ａ−１…第１案内用タブ、１３５ａ−２…第２案内用タブ、１３５ｂ…ソーラーフィルム、１３５ｃ…ソーラーセル、１３５ｄ…導通部、１４０…駆動機構、１５０…制御部、１５３…ＣＰＵ、１５４…ＲＡＭ、１５５…ＲＯＭ、１５７…入力装置、１５９…データバス。
【図１】
2016109533.tif 000003
【図２】
2016109533.tif 000004
【図３】
2016109533.tif 000005
【図４】
2016109533.tif 000006
【図５】
2016109533.tif 000007
【図６】
2016109533.tif 000008
【図７】
2016109533.tif 000009
【図８】
2016109533.tif 000010
【図９】
2016109533.tif 000011
【図１０】
2016109533.tif 000012
【図１１】
2016109533.tif 000013
【図１２】
2016109533.tif 000014
【図１３】
2016109533.tif 000015
【図１４】
2016109533.tif 000016
【図１５】
2016109533.tif 000017
【図１６】
2016109533.tif 000018
【図１７】
2016109533.tif 000019
【図１８】
2016109533.tif 000020
【図１９】
2016109533.tif 000021
【図２０】
2016109533.tif 000022
【図２１】
2016109533.tif 000023
【図２２】
2016109533.tif 000024
【図２３】
2016109533.tif 000025
【図２４】
2016109533.tif 000026
【図２５】
2016109533.tif 000027
【図２６】
2016109533.tif 000028